(57)【要約】  本発明の一の態様によれば、基材層５及び該基材層５の裏面側に積層された粘着材層６を有する貼付剤２と、粘着材層６を覆って設けられた離型紙３と、基材層５の表面側を覆って設けられた保護フィルム４と、貼付剤２を、使用時に皮膚Ｓｋに貼付される本体部８と使用時に除去される除去部９とに分割する第一スリット７と、離型紙３を、使用時に剥離される剥離部１２と使用時に使用者が把持する把持部１３とに分割する第二スリット１１と、を備え、貼付剤２は、本体部８から第一スリット７付近に向かって横断面積Ｓが小さくなると共に、第一スリット７付近から除去部９に向かって横断面積Ｓが大きくなるように形成されている皮膚貼付用シート１が提供される。
2019181349.tif 000002
【特許請求の範囲】
【請求項１】
皮膚に貼付するための皮膚貼付用シートであって、
薄膜状の基材層、及び該基材層の裏面側に積層された粘着材層を有する貼付剤と、
前記貼付剤の粘着材層を覆って設けられた離型紙と、
前記貼付剤の基材層の表面側を覆って設けられた保護フィルムと、
前記貼付剤の厚み方向全長に亘って形成され、前記貼付剤を、使用時に皮膚に貼付される本体部と使用時に除去される除去部とに分割する第一スリットと、
前記離型紙の厚み方向全長に亘って形成され、前記離型紙を、使用時に剥離される剥離部と使用時に使用者が把持する把持部とに分割する第二スリットと、
を備え、
前記貼付剤は、前記本体部から前記第一スリット付近に向かって横断面積が小さくなると共に、前記第一スリット付近から前記除去部に向かって横断面積が大きくなるように形成されている
皮膚貼付用シート。
【請求項２】
前記保護フィルムが、平面視で前記貼付剤と同じ形状を有する請求項１に記載の皮膚貼付用シート。
【請求項３】
平面視で、前記第一スリットを挟んで前記本体部の外形線と前記除去部の外形線とによって形成される角が、鋭角である請求項１又は２に記載の皮膚貼付用シート。
【請求項４】
前記本体部は、平面視で円形、楕円形、多角形、扇形、及びブーメラン形の何れかの外形を有する請求項１から３の何れか一項に記載の皮膚貼付用シート。
【請求項５】
前記除去部は、平面視で円形、楕円形、多角形、扇形、及びブーメラン形の何れかの外形を有する請求項１から４の何れか一項に記載の皮膚貼付用シート。
【請求項６】
前記貼付剤は、平面視で前記除去部が円形の外形を有し、且つ、平面視で前記第一スリットに沿う方向の幅寸法が前記第一スリットの位置で前記除去部の直径の０．４倍以下になるように形成されている請求項１から５の何れか一項に記載の皮膚貼付用シート。
【請求項７】
前記貼付剤は、平面視で前記第一スリットに沿う方向の幅寸法が前記第一スリットの位置で２ｍｍ以下になるように形成されている請求項１から６の何れか一項に記載の皮膚貼付用シート。
【請求項８】
前記基材層の厚みが５μｍ以上５０μｍ以下であり、前記粘着材層の厚みが１５μｍ以上６０μｍ以下である請求項１から７の何れか一項に記載の皮膚貼付用シート。
【請求項９】
前記保護フィルムは、前記基材層に対する剥離力が０．０２８Ｎ／２０ｍｍ以上０．０６４Ｎ／２０ｍｍ以下であり、前記粘着材層は、ステンレス板に対する粘着力が１．２６３Ｎ／２０ｍｍ以上２．９４７Ｎ／２０ｍｍ以下である請求項１から８の何れか一項に記載の皮膚貼付用シート。
【請求項１０】
前記保護フィルムが、前記貼付剤の前記本体部を覆う基部と前記除去部を覆う突出部とを有し、
前記保護フィルムの厚み方向全長に亘って形成され、前記基部の外縁であって平面視で前記第一スリットの端部近傍の所定位置から前記基部の内部の所定位置まで延びる第三スリットを更に備える請求項１から９の何れか一項に記載の皮膚貼付用シート。
【請求項１１】
前記第三スリットが、平面視で前記第一スリットと鋭角を成す方向へ延びる請求項１０に記載の皮膚貼付用シート。
【請求項１２】
前記第三スリットが、平面視で前記第一スリットの側に向かって凸である曲線形状を有する請求項１０又は１１に記載の皮膚貼付用シート。
【請求項１３】
前記保護フィルムが、前記基部の外縁であって平面視で前記第一スリットの両端部それぞれの近傍位置から延びる一対の前記第三スリットを有する請求項１０に記載の皮膚貼付用シート。
【発明の詳細な説明】
【技術分野】
【０００１】
本発明は、皮膚に貼付するための皮膚貼付用シートに関する。
本願は、２０１８年３月２３日に日本に出願された特願２０１８−０５６４７６号に基づき優先権を主張し、その内容をここに援用する。
【背景技術】
【０００２】
従来から、医療用または化粧用として皮膚に貼付する皮膚貼付用シートが広く用いられている。この皮膚貼付用シートは、皮膚に貼付される貼付剤と、この貼付剤の粘着材層を覆う離型紙とを備えている。【０００３】
ところで、最近は顔など人目に触れやすい部位に貼付するための皮膚貼付用シートに対する需要が高まっている。そのような皮膚貼付用シートの場合、貼付剤は、人目に付きにくくするために薄膜状に形成される。従って、使用前の保管時に貼付剤に変形や破損が生じることを防止するために、皮膚貼付用シートは、貼付剤の表面すなわち離型紙と逆側の面が剛性のある保護フィルムで覆われた状態で保管される。このような皮膚貼付用シートでは、使用時に離型紙及び保護フィルムを貼付剤から分離させる際に、使用者の指が貼付剤に触れると薄膜状の貼付剤にしわが生じやすい。そこで、特許文献１には、貼付剤に触れることなく離型紙及び保護フィルムを貼付剤から分離可能な皮膚貼付用シートが提唱されている。【０００４】
一方、特許文献２には、少ない手順で皮膚に貼付することが可能な皮膚貼付用シートが開示されている。図１０（ｂ）に示すように、この皮膚貼付用シート８０は、基材層８１と粘着材層８２からなる貼付剤８３と、基材層８１の表面を覆う保護フィルム８４と、粘着材層８２を覆う離型紙８５とを備えている。また、この皮膚貼付用シートは、図１０（ａ）及び（ｂ）に示すように、離型紙８５及び貼付剤８３を貫通して保護フィルム８４まで達するように形成されたスリット８６によって、本体部８７と除去部８８とに分割されている。そして、皮膚貼付用シート８０の使用時には、まず離型紙８５の本体部８７を剥がし、露出した粘着材層８２の本体部８７を皮膚に貼付する。その後、離型紙８５の除去部８８及び貼付剤８３の除去部８８と共に保護フィルム８４を除去することにより、貼付剤８３の本体部８７だけが皮膚上に残留する。このように、特許文献２の皮膚貼付用シート８０は、少ない手順で皮膚に貼付することができる。
【先行技術文献】
【特許文献】
【０００５】
【特許文献１】日本国特開２０１６−１４０７１７号公報
【特許文献２】日本国特許第５３８４７３０号公報
【発明の概要】
【発明が解決しようとする課題】
【０００６】
しかし、試験したところ、特許文献１の皮膚貼付用シートでは、離型紙及び保護フィルムを貼付剤から分離させるための手順が多く且つ複雑であるため、手順が記載された説明書を参照しなければ、皮膚貼付用シートを確実に皮膚に貼付することは難しいことが判明した。【０００７】
また、サンプルを作成して試験したところ、特許文献２の皮膚貼付用シート８０では、離型紙８５の除去部８８及び貼付剤８３の除去部８８と共に保護フィルム８４を除去する際に、貼付剤８３の本体部８７と除去部８８とをスムーズに分離させることができないことが判明した。そこで、その原因を検討したところ、粘着材層８２の本体部８７と除去部８８とが互いに粘着しているためであることが分かった。【０００８】
そこで本発明は、かかる事情に鑑みて創案され、その目的は、少ない手順で簡単且つ確実に皮膚に貼付することができると共に、保護フィルムを除去する際に貼付剤の本体部と除去部とをスムーズに分離させることが可能な皮膚貼付用シートを提供することにある。
【課題を解決するための手段】
【０００９】
本発明の一の態様に係る皮膚貼付用シートは、
皮膚に貼付するための皮膚貼付用シートであって、
薄膜状の基材層、及び該基材層の裏面側に積層された粘着材層を有する貼付剤と、
前記貼付剤の粘着材層を覆って設けられた離型紙と、
前記貼付剤の基材層の表面側を覆って設けられた保護フィルムと、
前記貼付剤の厚み方向全長に亘って形成され、前記貼付剤を、使用時に皮膚に貼付される本体部と使用時に除去される除去部とに分割する第一スリットと、
前記離型紙の厚み方向全長に亘って形成され、前記離型紙を、使用時に剥離される剥離部と使用時に使用者が把持する把持部とに分割する第二スリットと、
を備え、
前記貼付剤は、前記本体部から前記第一スリットに向かって横断面積が小さくなると共に、前記第一スリットから前記除去部に向かって横断面積が大きくなるように形成されている。【００１０】
なお、本発明の一の態様に係る皮膚貼付用シートにおいては、前記保護フィルムが、平面視で前記貼付剤と同じ形状を有してもよい。【００１１】
また、本発明の一の態様に係る皮膚貼付用シートにおいては、平面視で、前記第一スリットを挟んで前記本体部の外形線と前記除去部の外形線とによって形成される角が、鋭角であってもよい。【００１２】
また、本発明の一の態様に係る皮膚貼付用シートにおいては、前記本体部は、平面視で円形、楕円形、多角形、扇形、及びブーメラン形の何れかの外形を有してもよい。【００１３】
また、本発明の一の態様に係る皮膚貼付用シートにおいては、前記除去部は、平面視で円形、楕円形、多角形、扇形、及びブーメラン形の何れかの外形を有してもよい。【００１４】
また、本発明の一の態様に係る皮膚貼付用シートにおいては、前記貼付剤は、平面視で前記除去部が円形の外形を有し、且つ、平面視で前記第一スリットに沿う方向の幅寸法が前記第一スリットの位置で前記除去部の直径の０．４倍以下になるように形成されてもよい。【００１５】
また、本発明の一の態様に係る皮膚貼付用シートにおいては、前記貼付剤は、平面視で前記第一スリットに沿う方向の幅寸法が前記第一スリットの位置で２ｍｍ以下になるように形成されてもよい。【００１６】
また、本発明の一の態様に係る皮膚貼付用シートにおいては、前記基材層の厚みが５μｍ以上５０μｍ以下であり、前記粘着材層の厚みが１５μｍ以上６０μｍ以下であってもよい。【００１７】
また、本発明の一の態様に係る皮膚貼付用シートにおいては、前記保護フィルムは、前記基材層に対する剥離力が０．０２８Ｎ／２０ｍｍ以上０．０６４Ｎ／２０ｍｍ以下であり、前記粘着材層は、ステンレス板に対する粘着力が１．２６３Ｎ／２０ｍｍ以上２．９４７Ｎ／２０ｍｍ以下であってもよい。【００１８】
また、本発明の一の態様に係る皮膚貼付用シートにおいては、前記保護フィルムが、前記貼付剤の前記本体部を覆う基部と前記除去部を覆う突出部とを有し、前記皮膚貼付用シートが、前記保護フィルムの厚み方向全長に亘って形成され、前記基部の外縁であって平面視で前記第一スリットの端部近傍の所定位置から前記基部の内部の所定位置まで延びる第三スリットを更に備えてもよい。【００１９】
また、本発明の一の態様に係る皮膚貼付用シートにおいては、前記第三スリットが、平面視で前記第一スリットと鋭角を成す方向へ延びてもよい。【００２０】
また、本発明の一の態様に係る皮膚貼付用シートにおいては、前記第三スリットが、平面視で前記第一スリットの側に向かって凸である曲線形状を有してもよい。【００２１】
また、本発明の一の態様に係る皮膚貼付用シートにおいては、前記保護フィルムが、前記基部の外縁であって平面視で前記第一スリットの両端部それぞれの近傍位置から延びる一対の前記第三スリットを有してもよい。
【発明の効果】
【００２２】
本発明の一の態様に係る皮膚貼付用シートによれば、少ない手順で皮膚に貼付することができ、且つ、保護フィルムを除去する際に貼付剤の本体部と除去部とをスムーズに分離させることができる。
【図面の簡単な説明】
【００２３】
【図１】本発明の第一実施形態に係る皮膚貼付用シート１の構成を示す概略平面図である。
【図２】図１におけるＡ−Ａ線断面を示す概略断面図である。
【図３】皮膚貼付用シート１の構成を示す概略分解斜視図である。
【図４】本発明の第一実施形態に係る皮膚貼付用シート１の使用手順を示す説明図である。
【図５】本発明の第一実施形態の変形例に係る皮膚貼付用シート２０，３０，４０，５０を示す概略平面図である。
【図６】本発明の第二実施形態に係る皮膚貼付用シート６０の構成を示す概略平面図である。
【図７】図６におけるＢ−Ｂ線断面を示す概略断面図である。
【図８】本発明の第二実施形態に係る皮膚貼付用シート６０の使用方法を説明するための概略斜視図である。
【図９】本発明の第二実施形態の変形例に係る皮膚貼付用シート７０，９０，１００，１１０を示す概略平面図である。
【図１０】従来例に係る皮膚貼付用シート８０の構成を示す概略断面図であって、（ａ）は概略平面図、（ｂ）は（ａ）におけるＡ−Ａ線断面図である。
【発明を実施するための形態】
【００２４】
以下、本発明の実施の形態に係る皮膚貼付用シートについて、図面を参照しつつ説明する。なお、本発明の皮膚貼付用シートは、医療用、化粧用等に使用することができる。
【００２５】
（第一実施形態に係る皮膚貼付用シートの構成）
図１から図３は、本発明の第一実施形態に係る皮膚貼付用シート１の構成を示す図であり、図１は概略平面図、図２は図１におけるＡ−Ａ線断面図、図３は概略分解斜視図である。皮膚貼付用シート１は、図２及び図３に示すように、平面視でひょうたん形の外形を有する薄膜状の貼付剤２と、貼付剤２の裏面側を覆って設けられた離型紙３と、貼付剤２の表面側を覆って設けられた保護フィルム４と、を備えている。
【００２６】
（貼付剤）
貼付剤２は、皮膚に貼付されることにより皮膚表面を外部環境から保護し或いは皮膚表面が外部から見えないように目隠しする役割を果たす。この貼付剤２は、図２及び図３に示すように、薄膜状の基材層５と、この基材層５の裏面側に積層された粘着材層６と、を有している。そして、この貼付剤２には、図２に示すように厚み方向の全長に亘って延び、且つ、図３に示すように平面視で幅方向全長に亘って延びるようにして、第一スリット７が形成されている。これにより、基材層５及び粘着材層６は、この第一スリット７によって、使用時に皮膚に貼付される本体部８と、使用時に除去される除去部９とにそれぞれ二分割されている。但し、粘着材層６は、第一スリット７の位置において、本体部８の側部と除去部９の側部とが互いに粘着した状態となっている。
【００２７】
このように構成される貼付剤２は、図３に示すように、本体部８から第一スリット７付近に向かって横断面積Ｓが小さくなると共に、第一スリット７付近から除去部９に向かって横断面積Ｓが大きくなるように形成されている。すなわち、第一スリット７付近における貼付剤２の横断面積Ｓ１は、本体部８の所定位置における貼付剤２の横断面積Ｓ２より小さく、且つ、除去部９の所定位置における貼付剤２の横断面積Ｓ３より小さくなっている。換言すれば、貼付剤２は、図１及び図３に示すように、平面視で第一スリット７付近がその他の部分より幅方向に狭くなるように形成されることにより、その長さ方向中間部にくびれ部１０を有している。そして、このくびれ部１０では、平面視で本体部８の外形線と除去部９の外形線とによって形成されるくびれ角αが、鋭角すなわち９０°以下の大きさである。
【００２８】
第一実施形態では、平面視で第一スリット７付近における貼付剤２の幅寸法Ｗが、略２ｍｍに設定されている。また、貼付剤２は、平面視で本体部８の直径Ｄ１が略１５ｍｍの円形に形成され、除去部９の直径Ｄ２が略５ｍｍの円形に形成されている。従って、第一スリット７の位置における貼付剤２の幅寸法Ｗは、本体部８の直径Ｄ１の略０．１３倍の大きさで、且つ、除去部９の直径Ｄ２の略０．４倍の大きさになっている。また、基材層５及び粘着材層６を合わせた貼付剤２全体の厚みは、略２７μｍに設定されている。
【００２９】
基材層５は、粘着材層６を保持する役割を果たす。この基材層５は、ポリウレタンからなり、略一定の厚みを有する薄膜状の部材である。第一実施形態では、基材層５の厚みが略７μｍに設定されている。なお、基材層５を形成する材料としては、ポリウレタンに代えて、例えば２軸延伸ポリプロピレン（いわゆるＯＰＰ）や、ポリエチレンテレフタレート（いわゆるＰＥＴ）や、ポリエチレン（いわゆるＰＥ）を用いることができる。
【００３０】
粘着材層６は、貼付剤２を皮膚に付着させる役割を果たす。この粘着材層６は、アクリル樹脂系の接着剤からなり、図２に示すように、基材層５の裏面側に略一定の厚みで積層されている。また、粘着材層６は、図３に示すように、平面視で基材層５と略等しい形状に形成されている。なお、粘着材層６を形成する材料としては、アクリル系の接着剤に代えて従来公知の接着剤、例えばウレタン樹脂系や、シリコン系や、ゴム系の接着剤を用いることができる。
【００３１】
第一実施形態では、粘着材層６の厚みが、略２０μｍに設定されている。また、粘着材層６は、ステンレス板に対する粘着力が、幅寸法２０ｍｍの貼付剤２の場合で１．２６３Ｎ／２０ｍｍ以上２．９４７Ｎ／２０ｍｍ以下の範囲内に設定されている。本願明細書では、粘着材層６の皮膚に対する粘着力を、ステンレス板（不図示）に対する粘着力で規定している。これは、人間の皮膚は年齢や性別や体質等の違いによって状態が千差万別であって、粘着力の測定値に大きなバラツキが生じるので、表面の状態が均一なステンレス板に対する粘着力で規定したためである。
【００３２】
（離型紙）
離型紙３は、粘着材層６が外部に露呈することでその粘着力が低下するのを防止する役割を果たす。この離型紙３は、図に詳細は示さないが、片面が剥離処理されたラミネート紙である。そして、この離型紙３には、図２に示すように厚み方向の全長に亘って延び、且つ、図３に示すように平面視で幅方向全長に亘って延びるようにして、第二スリット１１が形成されている。この第二スリット１１は、図２及び図３に示すように、平面視で第一スリット７と重なり合う位置、すなわち第一スリット７の鉛直下方に位置すると共に、側面視で第一スリット７と同一線上に位置している。そして、この第二スリット１１により、離型紙３は、使用時に剥離される剥離部１２と、使用時に使用者が把持する把持部１３とに二分割されている。ここで、図１及び図３に示すように、剥離部１２は、平面視で貼付剤２の本体部８より大きい矩形に形成されている。一方、把持部１３は、平面視で貼付剤２の除去部９と略同じ大きさの円形に形成されている。
【００３３】
このように構成される離型紙３は、図１及び図３に示すように、剥離処理された面で粘着材層６を覆うようにして貼付剤２の裏面に付着され、平面視で貼付剤２の外形より外側へ延出している。なお、離型紙３としては、剥離処理されたラミネート紙に代えて従来公知の離型紙、例えば剥離処理されたポリエステルフィルムやポリオレフィンフィルムを用いることができる。
【００３４】
（保護フィルム）
保護フィルム４は、皮膚貼付用シート１の保管時に貼付剤２に変形や破損が生じないように保護する役割を果たす。この保護フィルム４は、図に詳細は示さないがＰＥＴフィルムとＯＰＰフィルムとが接合されたものである。保護フィルム４は、図１及び図３に示すように、平面視で貼付剤２と略等しいひょうたん形の外形を有すると共に、図２に示すように、貼付剤２よりかなり厚く形成されている。このように構成される保護フィルム４は、図３に示すように、基材層５を覆うようにして貼付剤２の表面に付着される。ここで、基材層５に対する保護フィルム４の剥離力は、離型紙３に対する粘着材層６の粘着力より大きく、且つ、皮膚に対する粘着材層６の粘着力より小さく設定されている。
【００３５】
第一実施形態では、保護フィルム４の厚みが、略１１５μｍに設定されている。また、基材層５に対する保護フィルム４の剥離力は、幅寸法２０ｍｍの保護フィルム４の場合で０．０２８Ｎ／２０ｍｍ以上０．０６４Ｎ／２０ｍｍ以下の範囲に設定されている。なお、幅寸法が小さい保護フィルム４の場合、剥離力が非常に小さく測定が困難である。そこで、幅寸法５０ｍｍの保護フィルム４について基材層５に対する剥離力を測定し、その測定結果を換算することにより、幅寸法２０ｍｍの保護フィルム４についての剥離力を取得した。
【００３６】
（第一実施形態に係る皮膚貼付用シートの使用方法）
次に、第一実施形態に係る皮膚貼付用シート１の使用方法、及びその作用効果について説明する。図４は、皮膚貼付用シート１の使用手順を示す説明図である。皮膚貼付用シート１の使用者は、まず、皮膚貼付用シート１から離型紙３の剥離部１２を剥離させる。すなわち使用者は、図に詳細は示さないが、離型紙３のうち貼付剤２より外側へ延出した部分を一方の手で押さえながら、離型紙３の把持部１３と貼付剤２の除去部９と保護フィルム４とが積層された部分（「把持部等１４」と呼ぶ）を、他方の手で把持する。この時、粘着材層６の除去部９が離型紙３の把持部１３によって覆われているため、使用者の指先が粘着材層６に触れて汚れることがない。
【００３７】
そして使用者は、図４（ａ）に示すように、把持部等１４を上方へ引き起こす。ここで、前述のように基材層５に対する保護フィルム４の剥離力は、離型紙３に対する粘着材層６の粘着力より大きく設定されている。従って、把持部等１４を上方へ引き起こすと、保護フィルム４は貼付剤２から剥離することなく、貼付剤２が離型紙３から剥離する。また前述のように、貼付剤２の粘着材層６は、第一スリット７の位置において本体部８の側部と除去部９の側部とが互いに粘着した状態となっている。従って、使用者が把持部等１４を上方へ引き起こす際に、貼付剤２の本体部８が除去部９から分離して離型紙３の剥離部１２の上に落下することもない。
【００３８】
次に使用者は、離型紙３の剥離部１２を剥離させた皮膚貼付用シート１を皮膚に貼付する。すなわち使用者は、把持部等１４を把持したまま、図４（ｂ）に示すように、離型紙３の剥離部１２が剥離されることによって外部に露呈した粘着材層６の本体部８を、皮膚Ｓｋの所定箇所に貼付する。この時、粘着材層６の除去部９は、離型紙３の把持部１３に覆われているため、皮膚Ｓｋに付着しない。使用者は、粘着材層６の本体部８のうち、特に除去部９に近接した部分が皮膚Ｓｋに確実に付着するように注意する。なお、この時点において、粘着材層６は、第一スリット７の位置で本体部８の側部と除去部９の側部とが互いに粘着した状態のままである。
【００３９】
ここで、第一実施形態では、基材層５の厚みが略７μｍに設定されている。従って、基材層５に十分な引っ張り強さが確保されるので、皮膚貼付用シート１を皮膚Ｓｋに貼付する際や貼付した後に、基材層５に変形や破損が生じにくいという利点がある。なお、このように基材層５に十分な引っ張り強さを確保するためには、基材層５の厚みが５μｍ以上に設定されるのが好適である。
【００４０】
次に使用者は、皮膚貼付用シート１から保護フィルム４等を除去する。すなわち使用者は、把持部等１４を再び把持し、図４（ｃ）に示すように、くびれ部１０付近を支点として把持部等１４を上方へ引き起こす。そうすると、粘着材層６は、第一スリット７の位置で除去部９が本体部８から分離する。これにより、離型紙３の把持部１３と貼付剤２の除去部９と保護フィルム４とが、一体化した状態で貼付剤２の本体部８から分離する。なお、この時も、粘着材層６の除去部９が離型紙３の把持部１３によって覆われているため、使用者の指先が粘着材層６に触れて汚れることがない。
【００４１】
ここで、貼付剤２は、本体部８から第一スリット７付近に向かって横断面積Ｓが小さくなると共に、第一スリット７付近から除去部９に向かって横断面積Ｓが大きくなるように形成されている。このように、貼付剤２は、第一スリット７の付近にくびれ部１０が設けられているため、くびれ部１０が設けられない場合と比較すると、粘着材層６の本体部８と除去部９とが互いに粘着する領域が狭くなっている。従って、把持部等１４に僅かな力が作用するだけで、粘着材層６の除去部９が本体部８からスムーズに分離する。また、貼付剤２にくびれ部１０が設けられているため、把持部等１４に対して上向きの力が作用すると、貼付剤２のくびれ部１０付近では応力集中が発生する。従って、把持部等１４に僅かな力が作用するだけで、粘着材層６の除去部９が本体部８からよりスムーズに分離する。更に、くびれ部１０においては、第一スリット７を挟んで本体部８の外形線と除去部９の外形線とが鋭角を成しているため、本体部８の外形線と除去部９の外形線とが鈍角を成す場合と比較すると、くびれ部１０において応力集中が発生しやすい。従って、把持部等１４に僅かな力を加えるだけで、粘着材層６の除去部９が本体部８からより一層スムーズに分離する。
【００４２】
第一実施形態では、平面視で第一スリット７付近における貼付剤２の幅寸法Ｗが、除去部９の直径Ｄ２の略０．４倍の大きさであって、略２ｍｍに設定されている。従って、くびれ部１０付近で応力が発生しやすく、粘着材層６の除去部９が本体部８からスムーズに分離する。なお、このように応力集中が発生しやすくするためには、第一スリット７付近における貼付剤２の幅寸法Ｗが、除去部９が平面視で円形である場合にはその直径Ｄ２の０．４倍以下、また除去部９の平面視形状によらず２ｍｍ以下に設定されるのが好適である。
【００４３】
また、前述のように、基材層５に対する保護フィルム４の剥離力は、皮膚Ｓｋに対する粘着材層６の粘着力より小さく設定されている。従って、把持部等１４を上方へ引き起こすと、貼付剤２は皮膚Ｓｋから剥離することなく、保護フィルム４が貼付剤２から剥離する。
【００４４】
その後、皮膚貼付用シート１から保護フィルム４等を完全に除去すると、図４（ｄ）に示すように、貼付剤２の本体部８だけが皮膚Ｓｋの上に残留する。これにより、皮膚貼付用シート１の皮膚Ｓｋへの貼付作業が完了する。
【００４５】
ここで、第一実施形態では、基材層５の厚みが略７μｍに設定されている。従って、基材層５に適度な透湿性が確保されるので、貼付剤２で覆われた皮膚Ｓｋの領域にかぶれが生じにくいという利点がある。なお、このように適度な透湿性を確保するためには、基材層５の厚みが５０μｍ以下に設定されるのが好適である。
【００４６】
また、第一実施形態では、粘着材層６の厚みが略２０μｍに設定されている。従って、粘着材層６に十分な粘着力が確保されるので、貼付剤２が皮膚Ｓｋから剥がれ落ちにくいという利点がある。加えて、粘着材層６に適度な透湿性も確保されるので、貼付剤２で覆われた皮膚Ｓｋの領域にかぶれが生じにくいという利点もある。なお、このように十分な粘着力を確保しつつ適度な透湿性も確保するためには、粘着材層６の厚みが１５μｍ以上６０μｍ以下に設定されるのが好適である。
【００４７】
また、第一実施形態では、基材層５と粘着材層６とを合わせた貼付剤２全体としての厚みが、略２７μｍに設定されている。従って、使用後に貼付剤２を皮膚Ｓｋから剥がす際に、指先が貼付剤２の側部に引っ掛かりやすいので貼付剤２を剥がしやすいという利点がある。加えて、皮膚Ｓｋに貼付された時に皮膚Ｓｋ表面から大きく突出しないので、貼付剤２が人目に付きにくいという利点もある。なお、このように使用後の剥がしやすさを確保しつつ使用時に人目に付きにくくするためには、貼付剤２の厚みが２０μｍ以上１１０μｍ以下に設定されるのが好適である。
【００４８】
以上説明したように、第一実施形態に係る皮膚貼付用シート１によれば、皮膚貼付用シート１から離型紙３の剥離部１２を剥離させる際に、貼付剤２の本体部８を除去部９から分離させることなく離型紙３から剥離させること、及び皮膚Ｓｋに添付した皮膚貼付用シート１から保護フィルム４等を除去する際に、貼付剤２の除去部９を本体部８からスムーズに分離させることを、バランス良く両立させることができる。
【００４９】
（第一実施形態の変形例）
第一実施形態の貼付剤２は、その本体部８が平面視で円形に形成されると共に、除去部９も平面視で円形に形成されている。しかし、貼付剤２が長さ方向中間部にくびれ部１０を有していれば、その本体部８と除去部９の平面視形状は適宜設計変更が可能であり、それぞれが例えば楕円形、多角形、扇形、及びブーメラン形であってもよい。図５は、本発明の変形例に係る皮膚貼付用シート２０，３０，４０，５０を示す概略平面図である。図５（ａ）に示す皮膚貼付用シート２０は、その本体部２１及び除去部２２が共に平面視で楕円形に形成されている。図５（ｂ）に示す皮膚貼付用シート３０は、その本体部３１が平面視で略矩形に形成され、除去部３２が平面視で五角形に形成されている。図５（ｃ）に示す皮膚貼付用シート４０は、その本体部４１が平面視で略三角形に形成され、除去部４２が平面視で扇形に形成されている。図５（ｄ）に示す皮膚貼付用シート５０は、その本体部５１が平面視で六角形に形成され、除去部５２が平面視でブーメラン形に形成されている。
【００５０】
第一実施形態の貼付剤２は、基材層５と粘着材層６とからなる２層構造であるが、本発明に係る貼付剤２は、例えば基材層５と粘着材層６との間に不図示の他の層が介在する、３層以上の構造であってもよい。また、第一実施形態の貼付剤２は、第一スリット７を挟んで本体部８と除去部９とからなる構成であるが、本発明に係る貼付剤２は、本体部８と除去部９以外の他の部位を備える構成であってもよい。
【００５１】
第一実施形態の粘着材層６は、平面視で基材層５と同形状であるが、十分な粘着力を確保可能な範囲でその平面視形状は適宜設計変更が可能である。例えば、基材層５の一部領域だけに粘着材層６が積層されてもよい。
【００５２】
第一実施形態の第一スリット７は、側面視で第二スリット１１と同一直線上であってくびれ部１０に位置しているが、その位置はくびれ部１０から水平方向に若干ずれてもよい。但し、第一スリット７がくびれ部１０に位置した方が、くびれ部１０に発生する応力集中の影響により、粘着材層６の除去部９が本体部８からスムーズに分離しやすいという利点がある。
【００５３】
第一実施形態の離型紙３は、第二スリット１１を挟んで剥離部１２と把持部１３とからなる構成であるが、本発明に係る離型紙３は、剥離部１２と把持部１３以外の他の部位を備える構成であってもよい。また、第一実施形態の離型紙３は、その剥離部１２が平面視で貼付剤２の本体部８より大きく形成されているが、剥離部１２は平面視で貼付剤２の本体部８と同形状であってもよい。但し、剥離部１２を第一実施形態のような形状とした方が、貼付剤２の本体部８から剥離部１２を剥離させやすいという利点がある。
【００５４】
第一実施形態の保護フィルム４は、平面視で貼付剤２と同形状であるが、貼付剤２を保護可能な範囲でその平面視形状は適宜設計変更が可能である。また、保護フィルム４の厚みも適宜設計変更が可能である。
【００５５】
（第二実施形態に係る皮膚貼付用シートの構成）
図６及び図７は、本発明の第二実施形態に係る皮膚貼付用シート６０の構成を示す図であり、図６は概略平面図、図７は図６におけるＢ−Ｂ線断面図である。皮膚貼付用シート６０は、第一実施形態に係る皮膚貼付用シート１と比較すると、保護フィルム６１の構成が第一実施形態の保護フィルム４とは異なっている。それ以外の構成については、皮膚貼付用シート６０は皮膚貼付用シート１と同じであるため、各部について第一実施形態と同じ符号を使用し、その説明を省略する。また、第二実施形態に係る皮膚貼付用シート６０に対しても、第一実施形態で述べた各種変形例を適用することができる。
【００５６】
保護フィルム６１は、第一実施形態の保護フィルム４と比較すると、第三スリット６２を有する点のみが異なっている。この保護フィルム６１は、図６及び図７に示すように、平面視で貼付剤２の本体部８を覆う基部６３と、平面視で貼付剤２の除去部９を覆う突出部６４と、を有している。そして、基部６３と突出部６４の間には、他の部分より幅方向に狭くなるように形成されたくびれ部６５が設けられている。すなわち、保護フィルム６１は、図に詳細は示さないが、基部６３からくびれ部６５に向かって横断面積が小さくなると共に、くびれ部６５から突出部６４に向かって横断面積が大きくなるように形成されている。
【００５７】
第三スリット６２は、皮膚Ｓｋに添付した皮膚貼付用シート６０から保護フィルム６１等を除去する際に、保護フィルム６１を貼付剤２から剥離させやすくする役割を果たす。より詳細には、第一実施形態に係る皮膚貼付用シート１では、図４（ｃ）に示すように把持部等１４を上方へ引き起こした時に、貼付剤２の除去部９は本体部８からスムーズに分離するが、保護フィルム４が貼付剤２から上手く剥離しない場合がある。この場合、図４（ｄ）に示すように貼付剤２の本体部８が皮膚Ｓｋの上に残留せずに、貼付剤２の本体部８が把持部等１４と共に上方へ持ち上げられるという問題が生じる。このような問題の発生を防止するために、第二実施形態の保護フィルム６１には第三スリット６２が形成されている。
【００５８】
第三スリット６２は、図６に示すように、平面視で貼付剤２の第一スリット７（図６に破線で示す）の側に向かって凸である円弧形状に、より詳細には基部６３と等しい直径Ｄ１を有する円弧の一部を成すように形成されている。この第三スリット６２の始点６２１は、基部６３の外縁６３１であって、平面視で第一スリット７の端部近傍の所定位置に設定されている。より詳細には、図６における第一スリット７の下側の端部近傍に、始点６２１が設定されている。そして、第三スリット６２は、平面視で第一スリット７と鋭角を成す方向、より詳細には図６における左上方向へ向かって斜めに延びている。また、この第三スリット６２の終点６２２は、基部６３の内部の所定位置、より詳細には基部６３の長さ方向中央部に設定されている。ここで、「基部６３の内部」とは、基部６３の外縁を含まない内側を意味している。すなわち、基部６３は第三スリット６２によって分割されていない。また、第三スリット６２は、図７に示すように、保護フィルム６１の厚み方向全長に亘って形成されている。
【００５９】
（第二実施形態に係る皮膚貼付用シートの使用方法）
次に、第二実施形態に係る皮膚貼付用シート６０の使用方法、及びその作用効果について説明する。図８は、皮膚貼付用シート６０の使用方法を説明するための概略斜視図である。皮膚貼付用シート６０の使用者は、第一実施形態に係る皮膚貼付用シート１と同様に、まず皮膚貼付用シート６０から離型紙３の剥離部１２を剥離させた後（図４（ａ）を参照）、その皮膚貼付用シート６０を皮膚Ｓｋに貼付する（図４（ｂ）を参照）。この時、保護フィルム６１には第三スリット６２が形成されているが、前述のように貼付剤２の粘着剤層６は本体部８の側部と除去部９の側部とが互いに粘着しているため、第三スリット６２が作業を妨げることはない。
【００６０】
次に、使用者は、第一実施形態に係る皮膚貼付用シート１と同様に、皮膚貼付用シート６０から保護フィルム６１等を除去する（図４（ｃ）を参照）。この時、例えば右利きの使用者は、図８に示すように、保護フィルム６１の基部６３における第三スリット６２より左側の領域ＡＬを左手（不図示）で上方から押圧すると共に、右手（不図示）で突出部６４等を把持して上方へ引き起こす。これにより、基部６３における第三スリット６２より左側の領域ＡＬは貼付剤２の本体部８に付着したまま、第三スリット６２より右側の領域ＡＲだけが貼付剤２の本体部８から剥離する。その後、使用者は、左手を保護フィルム６１から離し、基部６３における第三スリット６２より左側の領域ＡＬを貼付剤２の本体部８から剥離させる。
【００６１】
このように、保護フィルム６１が第三スリット６２によって分割されていないので、まずは保護フィルム６１の一部だけを貼付剤２から剥離させた後に、残部を貼付剤２から剥離させることができる。これにより、貼付剤２の全体が保護フィルム６１と共に持ち上げられることが防止され、貼付剤２を皮膚Ｓｋの上に残留させることができる。
【００６２】
また、右利きの使用者が保護フィルム６１の突出部６４等を把持して上方へ引き起こす場合、その動作は、肘を支点として右手の前腕を身体の内側から外側へ向かって回動させる動作となる。そして、この時の右手の軌跡に沿うようにして、第三スリット６２が平面視で第一スリット７と鋭角を成す方向に延びている。従って、使用者は、突出部６４等を上方へ引き起こす動作をスムーズに行うことができる。
【００６３】
更に、第三スリット６２が平面視で第一スリット７の側に向かって凸である円弧形状を有しているので、第三スリット６２が平面視で直線形状を有する場合と比較して、図６における第三スリット６２より左側の領域ＡＬ、すなわち左手で押圧する領域ＡＬが広く確保されている。従って、保護フィルム６１の広い領域ＡＬを貼付剤２の本体部８に付着させた状態で、保護フィルム６１の残りの狭い領域ＡＲを貼付剤２の本体部８から剥離させることができる。これにより、貼付剤２の全体が保護フィルム６１と共に持ち上げられることを、より確実に防止することができる。
【００６４】
（第二実施形態の変形例）
第二実施形態では、第三スリット６２が、平面視で基部６３と等しい直径を有する円弧の一部を成すように形成されている。しかし、第三スリット６２が成す円弧の直径は、任意の大きさに設定することが可能である。また、第三スリット６２の平面視形状は、円弧形状に限られず、任意の曲線形状や直線形状や枝分かれした形状等であってもよい。
【００６５】
第二実施形態では、第三スリット６２の始点６２１が、基部６３の外縁６３１であって、平面視で第一スリット７の端部近傍の所定位置に設定されている。ここで、図９は、本発明の第二実施形態の変形例に係る皮膚貼付用シート７０，９０，１００，１１０を示す概略平面図である。図９（ａ）に示す皮膚貼付用シート７０のように、第三スリット７１の始点７１１は、基部７２の外縁７２１において第一スリット７から若干離れた位置に設定することも可能である。但し、第一スリット７により近い位置に始点７１１を設定した方が、右手で突出部７３等を把持して上方へ引き上げる動作を、よりスムーズに行うことができるという利点がある。
【００６６】
第二実施形態では、第三スリット６２の終点６２２が、基部６３の長さ方向中央部に設定されている。しかし、終点６２２の設定位置はこれに限られず、例えば図９（ｂ）に示す皮膚貼付用シート９０のように、基部９１の外縁９１１であって第三スリット９２の始点９２１の対向位置付近に終点９２２を設定することも可能である。但し、始点９２１と終点９２２との間の距離を適度に短くした方が、右手で突出部９３等を把持して上方へ引き上げる際に、突出部９３と共に持ち上げられた貼付剤２（図７を参照）がバタつきにくく、貼付剤２にしわ等が生じにくいという利点がある。
【００６７】
第二実施形態では、保護フィルム６１の基部６３に、一本の第三スリット６２だけが形成されている。しかし、第三スリット６２の本数は適宜設計変更が可能であり、例えば、図９（ｃ）に示す皮膚貼付用シート１００のように、第一スリット７の左右両端部それぞれの近傍の外縁１０１から第一スリット７と直交する方向へ延びるようにして、一対の第三スリット１０２をそれぞれ形成することも可能である。また、図９（ｄ）に示す皮膚貼付用シート１１０のように、第一スリット７の左右両端部それぞれの近傍の外縁１１１から第一スリット７と鈍角を成す方向へ延びるようにして、一対の第三スリット１１２をそれぞれ形成することも可能である。このような皮膚貼付用シート１００，１１０によれば、使用者が右利きであるか左利きであるかによらず、利き手で突出部１０３，１１３を把持して上方へ引き上げる動作をスムーズに行うことができるという利点がある。
【産業上の利用可能性】
【００６８】
本発明に係る「皮膚」とは、人間の皮膚に限定されず動物の皮膚も含んだ概念である。従って、本発明に係る皮膚貼付用シートは、ペットの医療用やペットの装飾用に使用することも可能である。
【符号の説明】
【００６９】
１    皮膚貼付用シート
２    貼付剤
３    離型紙
４    保護フィルム
５    基材層
６    粘着材層
７    第一スリット
８    本体部
９    除去部
１１    第二スリット
１２    剥離部
１３    把持部
６２    第三スリット
Ｄ２    直径（除去部９）
Ｓ    横断面積
Ｓｋ    皮膚
Ｗ    幅寸法（貼付剤２）
α    くびれ角
【図１】
2019181349.tif 000003
【図２】
2019181349.tif 000004
【図３】
2019181349.tif 000005
【図４】
2019181349.tif 000006
【図５】
2019181349.tif 000007
【図６】
2019181349.tif 000008
【図７】
2019181349.tif 000009
【図８】
2019181349.tif 000010
【図９】
2019181349.tif 000011
【図１０】
2019181349.tif 000012
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
皮膚に貼付するための皮膚貼付用シートであって、
薄膜状の基材層、及び該基材層の裏面側に積層された粘着材層を有する貼付剤と、
前記貼付剤の粘着材層を覆って設けられた離型紙と、
前記貼付剤の基材層の表面側を覆って設けられた保護フィルムと、
前記貼付剤の厚み方向全長に亘って形成され、前記貼付剤の基材層及び粘着材層それぞれを、使用時に皮膚に貼付される本体部と使用時に除去される除去部とに分割する第一スリットと、
前記離型紙の厚み方向全長に亘って形成され、前記離型紙を、使用時に剥離される剥離部と使用時に使用者が把持する把持部とに分割する第二スリットと、
を備え、
前記貼付剤は、前記本体部から前記第一スリット付近に向かって横断面積が小さくなると共に、前記第一スリット付近から前記除去部に向かって横断面積が大きくなるように形成されている
皮膚貼付用シート。
【請求項２】
前記保護フィルムが、平面視で前記貼付剤と同じ形状を有する請求項１に記載の皮膚貼付用シート。
【請求項３】
平面視で、前記第一スリットを挟んで前記本体部の外形線と前記除去部の外形線とによって形成される角が、鋭角である請求項１又は２に記載の皮膚貼付用シート。
【請求項４】
前記本体部は、平面視で円形、楕円形、多角形、扇形、及びブーメラン形の何れかの外形を有する請求項１から３の何れか一項に記載の皮膚貼付用シート。
【請求項５】
前記除去部は、平面視で円形、楕円形、多角形、扇形、及びブーメラン形の何れかの外形を有する請求項１から４の何れか一項に記載の皮膚貼付用シート。
【請求項６】
前記貼付剤は、平面視で前記除去部が円形の外形を有し、且つ、平面視で前記第一スリットに沿う方向の幅寸法が前記第一スリットの位置で前記除去部の直径の０．４倍以下になるように形成されている請求項１から５の何れか一項に記載の皮膚貼付用シート。
【請求項７】
前記貼付剤は、平面視で前記第一スリットに沿う方向の幅寸法が前記第一スリットの位置で２ｍｍ以下になるように形成されている請求項１から６の何れか一項に記載の皮膚貼付用シート。
【請求項８】
前記基材層の厚みが５μｍ以上５０μｍ以下であり、前記粘着材層の厚みが１５μｍ以上６０μｍ以下である請求項１から７の何れか一項に記載の皮膚貼付用シート。
【請求項９】
前記保護フィルムは、前記基材層に対する剥離力が０．０２８Ｎ／２０ｍｍ以上０．０６４Ｎ／２０ｍｍ以下であり、前記粘着材層は、ステンレス板に対する粘着力が１．２６３Ｎ／２０ｍｍ以上２．９４７Ｎ／２０ｍｍ以下である請求項１から８の何れか一項に記載の皮膚貼付用シート。
【請求項１０】
前記保護フィルムが、前記貼付剤の前記本体部を覆う基部と前記除去部を覆う突出部とを有し、
前記保護フィルムの厚み方向全長に亘って形成され、前記基部の外縁であって平面視で前記第一スリットの端部近傍の所定位置から前記基部の内部の所定位置まで延びる第三スリットを更に備える請求項１から９の何れか一項に記載の皮膚貼付用シート。
【請求項１１】
皮膚に貼付するための皮膚貼付用シートであって、
薄膜状の基材層、及び該基材層の裏面側に積層された粘着材層を有する貼付剤と、
前記貼付剤の粘着材層を覆って設けられた離型紙と、
前記貼付剤の基材層の表面側を覆って設けられた保護フィルムと、
前記貼付剤の厚み方向全長に亘って形成され、前記貼付剤を、使用時に皮膚に貼付される本体部と使用時に除去される除去部とに分割する第一スリットと、
前記離型紙の厚み方向全長に亘って形成され、前記離型紙を、使用時に剥離される剥離部と使用時に使用者が把持する把持部とに分割する第二スリットと、
を備え、
前記貼付剤は、前記本体部から前記第一スリット付近に向かって横断面積が小さくなると共に、前記第一スリット付近から前記除去部に向かって横断面積が大きくなるように形成され、
前記保護フィルムが、前記貼付剤の前記本体部を覆う基部と前記除去部を覆う突出部とを有し、
前記保護フィルムの厚み方向全長に亘って形成され、前記基部の外縁であって平面視で前記第一スリットの端部近傍の所定位置から前記基部の内部の所定位置まで延びる第三スリットを更に備える
皮膚貼付用シート。
【請求項１２】
前記第三スリットが、平面視で前記第一スリットと鋭角を成す方向へ延びる請求項１０又は１１に記載の皮膚貼付用シート。
【請求項１３】
前記第三スリットが、平面視で前記第一スリットの側に向かって凸である曲線形状を有する請求項１０から１２の何れか一項に記載の皮膚貼付用シート。
【請求項１４】
前記保護フィルムが、前記基部の外縁であって平面視で前記第一スリットの両端部それぞれの近傍位置から延びる一対の前記第三スリットを有する請求項１０又は１１に記載の皮膚貼付用シート。
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
皮膚に貼付するための皮膚貼付用シートであって、
薄膜状の基材層、及び該基材層の裏面側に積層された粘着材層を有する貼付剤と、
前記貼付剤の粘着材層を覆って設けられた離型紙と、
前記貼付剤の基材層の表面側を覆って設けられた保護フィルムと、
前記貼付剤の厚み方向全長に亘り且つ平面視で幅方向全長に亘って形成され、前記貼付剤の基材層及び粘着材層それぞれを、使用時に皮膚に貼付される本体部と使用時に除去される除去部とに分割する第一スリットと、
前記離型紙の厚み方向全長に亘り且つ平面視で幅方向全長に亘って形成され、前記離型紙を、使用時に剥離される剥離部と使用時に使用者が把持する把持部とに分割する第二スリットと、を備え、
前記貼付剤は、前記本体部から前記第一スリット付近に向かって横断面積が小さくなると共に、前記第一スリット付近から前記除去部に向かって横断面積が大きくなるように形成されている皮膚貼付用シート。
【請求項２】
前記保護フィルムが、平面視で前記貼付剤と同じ形状を有する請求項１に記載の皮膚貼付用シート。
【請求項３】
平面視で、前記第一スリットを挟んで前記本体部の外形線と前記除去部の外形線とによって形成される角が、鋭角である請求項１又は２に記載の皮膚貼付用シート。
【請求項４】
前記本体部は、平面視で円形、楕円形、多角形、扇形、及びブーメラン形の何れかの外形を有する請求項１から３の何れか一項に記載の皮膚貼付用シート。
【請求項５】
前記除去部は、平面視で円形、楕円形、多角形、扇形、及びブーメラン形の何れかの外形を有する請求項１から４の何れか一項に記載の皮膚貼付用シート。
【請求項６】
前記貼付剤は、平面視で前記除去部が円形の外形を有し、且つ、平面視で前記第一スリットに沿う方向の幅寸法が前記第一スリットの位置で前記除去部の直径の０．４倍以下になるように形成されている請求項１から５の何れか一項に記載の皮膚貼付用シート。
【請求項７】
前記貼付剤は、平面視で前記第一スリットに沿う方向の幅寸法が前記第一スリットの位置で２ｍｍ以下になるように形成されている請求項１から６の何れか一項に記載の皮膚貼付用シート。
【請求項８】
前記基材層の厚みが５μｍ以上５０μｍ以下であり、前記粘着材層の厚みが１５μｍ以上６０μｍ以下である請求項１から７の何れか一項に記載の皮膚貼付用シート。
【請求項９】
前記保護フィルムは、前記基材層に対する剥離力が０．０２８Ｎ／２０ｍｍ以上０．０６４Ｎ／２０ｍｍ以下であり、前記粘着材層は、ステンレス板に対する粘着力が１．２６３Ｎ／２０ｍｍ以上２．９４７Ｎ／２０ｍｍ以下である請求項１から８の何れか一項に記載の皮膚貼付用シート。
【請求項１０】
前記保護フィルムが、前記貼付剤の前記本体部を覆う基部と前記除去部を覆う突出部とを有し、
前記保護フィルムの厚み方向全長に亘って形成され、前記基部の外縁であって平面視で前記第一スリットの端部近傍の所定位置から前記基部の内部の所定位置まで延びる第三スリットを更に備える請求項１から９の何れか一項に記載の皮膚貼付用シート。
【請求項１１】
皮膚に貼付するための皮膚貼付用シートであって、
薄膜状の基材層、及び該基材層の裏面側に積層された粘着材層を有する貼付剤と、
前記貼付剤の粘着材層を覆って設けられた離型紙と、
前記貼付剤の基材層の表面側を覆って設けられた保護フィルムと、
前記貼付剤の厚み方向全長に亘って形成され、前記貼付剤を、使用時に皮膚に貼付される本体部と使用時に除去される除去部とに分割する第一スリットと、
前記離型紙の厚み方向全長に亘って形成され、前記離型紙を、使用時に剥離される剥離部と使用時に使用者が把持する把持部とに分割する第二スリットと、を備え、
前記貼付剤は、前記本体部から前記第一スリット付近に向かって横断面積が小さくなると共に、前記第一スリット付近から前記除去部に向かって横断面積が大きくなるように形成され、
前記保護フィルムが、前記貼付剤の前記本体部を覆う基部と前記除去部を覆う突出部とを有し、
前記保護フィルムの厚み方向全長に亘って形成され、前記基部の外縁であって平面視で前記第一スリットの端部近傍の所定位置から前記基部の内部の所定位置まで延びる第三スリットを更に備える皮膚貼付用シート。
【請求項１２】
前記第三スリットが、平面視で前記第一スリットと鋭角を成す方向へ延びる請求項１０又は１１に記載の皮膚貼付用シート。
【請求項１３】
前記第三スリットが、平面視で前記第一スリットの側に向かって凸である曲線形状を有する請求項１０から１２の何れか一項に記載の皮膚貼付用シート。
【請求項１４】
前記保護フィルムが、前記基部の外縁であって平面視で前記第一スリットの両端部それぞれの近傍位置から延びる一対の前記第三スリットを有する請求項１０又は１１に記載の皮膚貼付用シート。
【国際調査報告】
2019181349.tif 000013
2019181349.tif 000014
2019181349.tif 000015
2019181349.tif 000016